(57)【特許請求の範囲】
【請求項１】
駆動メカニズム；
前記駆動メカニズムで回転するプレートシリンダー；
前記プレートシリンダーに取り付けられたプレートシリンダーギア；
ブランケットシリンダー；
前記ブランケットシリンダーに取り付けられたブランケットシリンダーギア；および、  前記ブランケットシリンダーの回転を前記プレートシリンダーの回転とシンクロさせるように構成された回転ギアトレインを備え、
前記回転ギアトレインは、
プレート―ギア回転リンクによって前記プレートシリンダーの回転の中心に取り付けられた第１の移動ギアと、
ギア―ギア回転リンクによって前記第１の移動ギアに取り付けられ、前記ブランケット
シリンダーギアとかみ合っている第２の移動ギアと、
キャリッジとを有し、
前記第２の移動ギアと前記ブランケットシリンダーが前記キャリッジ上に取り付けられ、前記第２の移動ギアと前記ブランケットシリンダーは、前記キャリッジ上にて互いに固定された場所にあり、
前記ブラケットシリンダーが変更される必要があるとき、前記キャリッジはカットオフ変更のために用いられる、可変式カットオフ印刷機。
【請求項２】
前記ブランケットシリンダーギアが前記ブランケットシリンダーに固定して取り付けら
れる、請求項１に記載の可変式カットオフ印刷機。
【請求項３】
前記プレートシリンダーギアが前記プレートシリンダーに固定して取り付けられる、請求項２に記載の可変式カットオフ印刷機。
【請求項４】
前記回転ギアトレインが、最大のシリンダー直径に対応する第１の位置と、最小のシリンダー直径に対応する第２の位置との間で回転する、請求項３に記載の可変式カットオフ印刷機。
【請求項５】
最初に少なくとも１つの当初のブランケットシリンダーと少なくとも１つの当初のプレートシリンダーを含み、それぞれが第１の直径を有している可変式カットオフ印刷機のカットオフ変更方法であって：
前記少なくとも１つのブランケットシリンダーの回転を前記少なくとも１つのプレートシリンダーの回転とシンクロさせるためにギアトレインを提供する工程であって、前記ギアトレインは、前記プレートシリンダーに取り付けられたプレートシリンダーギアと、前記プレートシリンダーギアとかみ合っている第１の移動ギアと、前記第１の移動ギア及び前記ブランケットシリンダーギアとかみ合っている第２の移動ギアを備え、第２の移動ギアと少なくとも１つのブランケットシリンダーはキャリッジ上に取り付けられ、前記第２の移動ギアと前記ブランケットシリンダーは互いに固定された位置にある工程と、
前記少なくとも１つのブランケットシリンダーを、次のプレートシリンダーと次のブランケットシリンダーと入れ替える工程であって、ブランケットシリンダーと第２の移動ギアが取り付けられた前記キャリッジを交換することによって、次のブランケットシリンダーは、第１の直径とは異なる第２の直径を有する工程を有し、
前記第１の移動ギアが、プレート−ギア回転リンクによって、前記プレートシリンダー
の回転の中心に取り付けられ、
前記第２の移動ギアが、ギア−ギア回転リンクによって、前記第１の移動ギアに取り付
けられている、カットオフ変更方法。
【請求項６】
前記シリンダー入れ替え工程が、前記ギアトレインの少なくとも１つの移動ギアを前記プレートシリンダーギアの周りで回転させることを含む、請求項５に記載の方法。
【請求項７】
前記シリンダー入れ替え工程が、前記プレートシリンダーギアを変更することなく実行される、請求項６に記載の方法。
【請求項８】
前記シリンダー入れ替え工程が、前記ブランケットシリンダーギアを変更することなく実行される、請求項７に記載の方法。
【請求項９】
前記駆動メカニズムによって回転される第２のプレートシリンダをさらに備える、請求項４に記載の可変式カットオフ印刷機。
【請求項１０】
前記駆動メカニズムが、第２のドライブシャフトに結合された第１のドライブシャフト
を備え、
前記第２のドライブシャフトが、前記プレートシリンダーと前記第２のプレートシリン
ダーに結合されている、請求項９に記載の可変式カットオフ印刷機。
【請求項１１】
前記第１のドライブシャフトが垂直ドライブシャフトであり、前記第２のドライブシャ
フトが水平ドライブシャフトである、請求項１０に記載の可変式カットオフ印刷機。
【請求項１２】
前記駆動メカニズムが、前記第１のドライブシャフトに固定された第１の駆動ギアと、
第２の駆動ギアであって、その回転軸が前記第１のドライブシャフトの回転軸と非平行と
なるように前記第１の駆動ギアとかみ合っている第２の駆動ギアとをさらに備える、請求
項１１に記載の可変式カットオフ印刷機。
【請求項１３】
前記第１の駆動ギアと前記第２の駆動ギアとが、スパイラルベベルギアとマイターギアのうちの一方である、請求項１２に記載の可変式カットオフ印刷機。
【請求項１４】
前記第２のドライブシャフトの一方端にある第３の駆動ギアと、
前記第２のドライブシャフトの他方端にある第４の駆動ギアと、
第５の駆動ギアであって、その回転軸が前記第２の駆動ギアの回転軸と平行となるように前記第４の駆動ギアとかみ合っている第５の駆動ギアと、
前記第５の駆動ギアに固定された第２のプレートシリンダーギアと、
第２のプレートシリンダーに取り付けられた第２のプレートシリンダーギアとをさらに備え、
前記第３の駆動ギアが前記第２の駆動ギアとかみ合っており、
前記第２のプレートシリンダーギアが前記第２のプレートシリンダー駆動ギアとかみ合
っている、請求項１３に記載の可変式カットオフ印刷機。
【発明の詳細な説明】
【技術分野】
【０００１】
この発明は、印刷機の改善を志向し、より詳細には、可変的な印刷画像のカットオフ提供を可能とする印刷機を志向している。
【背景技術】
【０００２】
一般的に、印刷機は２つの印刷組みを用いて、２つの印刷組みのそれぞれのために、印字機メカニズムを備えている。印刷組みは、通常、平行に配置されたサイドフレームの互いに反対側の端で支えられる１対のプレートシリンダーと、同様にしてサイドフレームに支えられる一対の対応するブランケットシリンダーとで構成される。さらに、印刷機はしばしば、通常、偏心スリーブと関連リンクのシステムに基づく開始のメカニズムを含んでいる。
【０００３】
このタイプの印刷機のために、プレスはプレートおよびブランケットシリンダーの特定の直径を利用するように一般に設計されている。シリンダーの直径が印刷画像のカットオフを規定すること、そして、本質的な印刷機の再構築によってすべての印刷機構成要素を変更することを含むために、変更が難しいということが理解されよう。無理もない話だが、これは施工するには非常に高くつく操作であり、そして、それは生産性と資源活用の見地から好ましくない。
【０００４】
言い換えれば、従来の印刷機でカットオフ変更を求められるとき、多大な「ダウンタイム」があるということである。この目的を達成するためには、異なる印刷画像カットオフを得られるような印刷機の再構築を可能とするために、異なるギア、ベアリング等とともに様々な直径のプレートおよびブランケットシリンダーを含む複数の異なる大きさの構成要素もまた必要となる。その結果、カットオフ変更のコストは、印刷機で希望される柔軟性のレベル達成の抑止力となっていた。
【発明の概要】
【発明が解決しようとする課題】
【０００５】
クイック転換可変式カットオフ印刷機は、一般的に、ギアの必要なしで印刷するのを容易にすべく、すべてのシリンダーに独立したモーターを要求する。そのようなモーターは、印刷機のコストを上げ、さらに複雑にする。若干の印刷機は、個別に駆動された印字機と緩衝装置と同様に、可変速度装置（大部分は電気モーター）でそれぞれのシリンダーを別々に動かしながら、印刷シリンダーのサイズを変えることによって、カットオフ変更の効果を得ている。
【０００６】
このように、カットオフ変更を容易にするために、従来の可変式カットオフ印刷機は一般的にシリンダーサイズの変更、シリンダーギアの変更、および印字機と緩衝装置駆動ギアの変更を必要とする。印字機と緩衝装置駆動ギアは、緩衝装置のシリンダー表面速度をシリンダーに合わせるよう、可変速度装置の個別の組み合わせで駆動されるなら、印字機と緩衝装置駆動ギアが不変のままでもありうる。
【課題を解決するための手段】
【０００７】
発明の１つの面によると、印刷機はギアによるローラー、たとえばプレートシリンダーとブランケットシリンダー、およびシリンダーの回転にシンクロさせるように構成された回転ギアトレインを含み、シリンダーサイズの範囲に調整可能である。ブランケットシリンダーギアは、ブランケットシリンダーに固定して取り付けられてもよい。プレートシリンダーギアはプレートシリンダーに固定して取り付けられてもよい。そして、回転ギアトレインは２つ以上のギアおよび／または２つ以上の回転リンクを含んでもよい。１つの回転リンクは、プレートシリンダーの回転中心と回転ギアトレインの少なくとも１つのギアの間で配列されてもよい。回転ギアトレインは、プレートシリンダーギアとかみ合っている第１ギアと、第１ギアおよびブランケットシリンダーギアとかみ合っている第２ギアを含んでもよい。可変式カットオフ印刷機は、第１ギアと第２ギアの回転リンクをさらに含んでもよい。
【０００８】
発明の別の見地から述べると、ギアトレインは、最大のシリンダー直径に対応する第１の位置と、最小のシリンダー直径に対応する第２の位置との間で回転可能であってもよい。
【０００９】
発明のさらにもう一つの面によれば、可変式カットオフ印刷機は以下のものを含む。すなわち、駆動メカニズム；駆動メカニズムで回転するプレートシリンダー；固定的にプレートシリンダーに取り付けられたプレートシリンダーギア；ブランケットシリンダー；固定的にブランケットシリンダーに取り付けられたブランケットシリンダーギア；および、ブランケットシリンダーの回転をプレートシリンダーの回転とシンクロさせるように構成された回転ギアトレインである。
【００１０】
発明のさらに別の態様によって、可変式カットオフ印刷機の変更方法が提供される。印刷機はまず最初に、それぞれ第１の直径を持っている少なくとも１つの最初のブランケットシリンダーと少なくとも１つの最初のプレートシリンダーを含んでもよい、そして、この方法は少なくとも１つの最初のブランケットシリンダーの回転を少なくとも１つの最初のプレートシリンダーの回転とシンクロさせるためのギアトレインの提供と、少なくとも１つの最初のプレートシリンダーと少なくとも１つの最初のブランケットシリンダーを次のプレートシリンダーおよび次のブランケットシリンダーとの代替を含んでもよく、そして、それぞれが、ギアトレイン内のどんな構成要素も変えることなしに、第１の直径とは異なる第２の直径を持ってもよい。
【００１１】
発明は、速い転換能力だけでなく、最小から最大のカットオフ間の求める範囲内で無限に可変的カットオフの能力を提供する。
【図面の簡単な説明】
【００１２】
【図１】図１は、発明を第１の構成に取り入れた印刷機の概略立面図で、印刷機は第１の直径を有するプレートシリンダーとブランケットシリンダーとを含んでいる；
【図２】図２は、第２の構成における図１の印刷機の概略立面図で、印刷機は第１の直径より大きい第２の直径を有するプレートシリンダーとブランケットシリンダーとを含んでいる；そして、
【図３】図３は、図１の印刷機におけるギアトレインの部分斜視図である。
【発明を実施するための形態】
【００１３】
最初に図１に言及すれば、印刷機は、通常、１０に示されるように、当初のブランケットシリンダー１４および１６の間を通過する（たとえば、連続の印刷のため）ウェブ１２上へ、情報や画像を印刷するよう適合されている。当初のブランケットシリンダー１４および１６のそれぞれは第１の直径「ａ」を有し、当初のプレートシリンダー１８および２０とそれぞれ回転接触して、当初のプレートシリンダー１８および２０のそれぞれも直径「ａ」を有し、個別の印字機２４および２６と緩衝装置２８および３０と回転接触する。印字機２４および２６と緩衝装置２８および３０は、一般の可変速度印字機／緩衝装置ドライブ３２によって駆動されてもよい。当初のプレートシリンダー１８および２０は、一般のシリンダードライブ３４によって動かされてもよい。
【００１４】
図１の右の部分で示すように、当初のブランケットシリンダー１４の回転を当初のプレートシリンダー１８の回転とシンクロさせるために、第１の移動ギアトレインは、通常、３６に示されように、ブランケットシリンダー１４に固定して取り付けられてもよいブランケットシリンダーギア３８と、当初のプレートシリンダー１８に固定して取り付けられてもよいプレートシリンダーギア４０とをかみ合わせることにより、当初のブランケットシリンダー１４と当初のプレートシリンダー１８とを順に連結する。第１の移動ギアトレイン３６は、第１の上部移動ギア４２と第１の下部移動ギア４４とを含んでもよい。第１の上部移動ギア４２は、第１のプレート−ギア回転リンク４６によって、当初のプレートシリンダー１８の回転の中心に取り付けられてもよい。第１の下部移動ギア４４は、第１のギア−ギア回転リンク４８によって、第１の上部移動ギア４２に取り付けられてもよい。
【００１５】
本質的に同一の構成で、図１の左側部分で示すように、当初のブランケットシリンダー１６の回転を当初のプレートシリンダー２０の回転とシンクロさせるために、第２の移動ギアトレインは、通常、５０に示されるように、当初のブランケットシリンダー１６に固定して取り付けられてもよいブランケットシリンダーギア５２と、当初のプレートシリンダー２０に固定して取り付けられてもよいプレートシリンダー５４とをかみ合わせることにより、当初のブランケットシリンダー１６と当初のブレートシリンダー２０を順に連結する。第２の移動ギアトレイン５０は、第２の上部移動ギア５６と第２の下部移動ギア５８とを含んでもよい。第２の上部移動ギア５６は、第２のプレート−ギア回転リンク６０によって、当初のプレートシリンダー２０の回転の中心に取り付けられてもよい。第２の下部移動ギア５８は、第２のギア−ギア回転リンク６２によって、第２の上部移動ギア５６に取り付けられてもよい。
【００１６】
図２で示すように、印刷機１０は、より大きなサイズの次のブランケットシリンダー１４’および１６’と、より大きなサイズの次のプレートシリンダー１８’および２０’とを使用するように構成されてもよく、それらのそれぞれが、図１で対応するシリンダーの第１の直径「ａ」より大きい第２の直径「ｂ」を有している（たとえば、そのようなサイズ変更は、シリンダースリーブに厚みを追加することによって実行されてもよい）。比較を容易にするために、図１の印刷機１０の構成は、図２に仮想（点線）で示されている。より大きなシリンダーサイズは、ギア３８、４０、４２、４４、５２、５４、５６または５８の全てを変える必要なく調整可能であってもよい。その代わりに回転リンク４６、４８、６０および６２によって位置を変えられてもよい。
【００１７】
必要に応じて、下部移動ギア４４および５８のそれぞれが、それぞれのブランケットシリンダーギア３８および５２に関して固定された場所で提供されてもよく、ブランケットシリンダーが変更されるとき、カットオフの変更のために使われる同じキャリッジにあってもよい。上部移動ギア４２および５６は、ブランケットシリンダー１４および１６とプレートシリンダー１８および２０のサイズの変化に対応するために、個別のプレートシリンダーギア４０および５４のまわりをそれぞれ回転されてもよい。
【００１８】
選ばれたシリンダーサイズ範囲の中で、図１で示すように当初のプレートシリンダー１８および２０と当初のブランケットシリンダー１４および１６の最小の直径「ａ」から、図２に示すように、次のプレートシリンダー１８’および２０’と次のブランケットシリンダー１４’および１６’の最大の直径「ｂ」まで、ギア直径がギア３８、４２、４４、５２、５６および５８の全てについて変更しないにもかかわらず、カットオフは無限に変化可能である。
【００１９】
図３で示すように、一般のシリンダードライブ３４は、第１のスパイラルべベルギア６６を回転させる垂直ドライブシャフト６４を含んでもよい。第１のスパイラルべベルギア６６は、第１のプレートシリンダー駆動ギア８０と固定して同軸となっている第２のスパイラルべベルギア７８をかみ合わせてもよい。第３のスパイラルべベルギア６８は、水平ドライブシャフト７２の端に取り付けられてもよい。第４のスパイラルべベルギア７０は第２のプレートシリンダー駆動ギア７６で固定して同軸となっている第５のスパイラルべベルギア７４を動かしてもよく、第３のスパイラルべベルギア６８は第１のプレートシリンダー駆動ギア８０を回転させる第２のスパイラルべベルギア７８で動かされてもよい。マイターギアが、スパイラルべベルギアの代わりに使われてもよい。
【００２０】
印刷機１０は、一般のシリンダードライブ３４をプレートシリンダー１８、２０、１８’および２０’のそれぞれに結ぶように、描写され記述された。しかし、印刷機１０は機械的にまたは電気的に、それぞれが同じピッチ速度にシンクロする方法で結びついてもよいギア３８、４２、４４、５２、５４、５６、５８、７６および８０のいずれか一つを通って駆動されてもよい。
【００２１】
印字機／緩衝装置ドライブ３２は、印刷シリンダー表面速度に合うように調整される別々の可変速度装置によって駆動されてもよい。印字機／緩衝装置ドライブ３２は電気モーターであってもよいが、他のタイプのドライブももちろん可能である。
【００２２】
この発明はオフセット印刷を実行する印刷機に関連するものとして記述されているが、他のタイプの可変式カットオフ印刷機、たとえばフレキソグラフィ、グラビアその他を使う印刷機で使われてもよい点に留意すべきである。
【００２３】
前の記述から、印刷機１０のための実際の単数または複数のドライブと同様に、実際に取り付けられているハードウェアは示されなかったということも理解できる。なぜならば、単数または複数の印刷機ドライブ取り付けハードウェア、調整ギアなど他の関連構成要素は、従来型のどのような形でもよく、現在の発明を理解するために必要ないからである。このように、現在の発明は、当業者によってあらかじめ選ばれ、用意される取り付けハードウェア、単数または複数のドライブに依存していない。
【００２４】
前述で発明の好ましい実施例が記述されたが、この中で示された詳細は当業者によって、請求の真の精神および範囲から乖離することなく、変化されてもよいことはいうまでもない。
【図１】
0005525820.tif 000002
【図２】
0005525820.tif 000003
【図３】
0005525820.tif 000004